(57)【特許請求の範囲】
【請求項１】
燃料を燃焼させるバーナと、該バーナでの燃焼により発生した燃焼排気から顕熱を回収し一次流路を流通する被加熱流体を加熱する一次熱交換器と、該一次熱交換器を通過した後の燃焼排気から顕熱または潜熱を回収し二次流路を流通する被加熱流体を加熱する二次熱交換器と、該二次熱交換器を通過した後の燃焼排気が流通し外部と連通する排気筒と、該排気筒に設けられ前記二次熱交換器を通過した後の燃焼排気の温度を検出する排気温度検出手段と、被加熱流体を前記二次流路から前記一次流路へ流通させて加熱する負荷運転を実行させる制御部とを備えた熱源装置において、前記被加熱流体を前記二次流路をバイパスさせて前記一次流路に導くバイパス流路と、前記被加熱流体を前記二次流路側に送る流路を形成する通常状態か前記バイパス流路側に送る流路を形成するバイパス状態かに切り換える流路切換手段とを設け、前記制御部は、前記負荷運転時に、前記排気温度検出手段の検出する燃焼排気の温度が前記第１の所定温度以上であると判断した場合は、前記流路切換手段を前記通常状態とし、前記排気温度検出手段の検出する燃焼排気の温度が前記第１の所定温度より低いと判断した場合は、前記流路切換手段を前記バイパス状態とするようにしたことを特徴とする熱源装置。
【請求項２】
請求項１に記載の熱源装置において、外気温度を検出する外気温度検出手段を設け、前記制御部は、前記負荷運転時に、前記排気温度検出手段の検出する燃焼排気の温度が前記第１の所定温度より低いと判断した場合は、前記外気温度検出手段の検出する外気温度が第２の所定温度以上か否か判断し、前記外気温度検出手段の検出する外気温度が第２の所定温度以上と判断した場合は、前記流路切換手段を前記通常状態とし、前記外気温度検出手段の検出する外気温度が第２の所定温度より低いと判断した場合は、前記流路切換手段を前記バイパス状態とするようにしたことを特徴とする熱源装置。
【発明の詳細な説明】
【技術分野】
【０００１】
この発明は、潜熱回収型の熱源機を有する熱源装置に関するものである。
【背景技術】
【０００２】
従来、この種の熱源装置は、バーナと、バーナの燃焼により発生した燃焼排気から顕熱を回収する一次熱交換器、燃焼排気から潜熱を回収する二次熱交換器、二次熱交換器を通過した燃焼排気を外部に排気する排気経路としての排気筒等からなる潜熱回収型の熱源機を有し、熱源機で加熱された循環液を循環ポンプの駆動により床暖房パネル等の放熱端末に供給することで、放熱端末が設置された被空調空間を加熱する暖房運転を行うものがあった。（例えば、特許文献１参照。）
【先行技術文献】
【特許文献】
【０００３】
【特許文献１】特許第２９０３１４１号公報
【発明の概要】
【発明が解決しようとする課題】
【０００４】
ところで、従来の熱源装置では、二次熱交換器で潜熱を回収された後の燃焼排気の温度は低いため、排気筒内で結露（ドレン）が発生するものであり、冬季など外気温度が低い時に暖房運転を行っていると、外気に曝されている排気筒の先端に近い部分では結露が氷結するおそれがある。しかし、燃焼排気の温度が低いために解氷することができず、排気筒の先端に近い部分において氷結箇所が拡大していくと排気筒が詰まってしまう可能性があり、排気筒が詰まると燃焼不良が発生したり、また、給排気筒であった場合は、氷結によって排気筒が詰まると燃焼排気が室内に漏れ出すおそれがあるという問題点を有するものであった。
【課題を解決するための手段】
【０００５】
この発明は、上記課題を解決するために、特に請求項１ではその構成を、燃料を燃焼させるバーナと、該バーナでの燃焼により発生した燃焼排気から顕熱を回収し一次流路を流通する被加熱流体を加熱する一次熱交換器と、該一次熱交換器を通過した後の燃焼排気から顕熱または潜熱を回収し二次流路を流通する被加熱流体を加熱する二次熱交換器と、該二次熱交換器を通過した後の燃焼排気が流通し外部と連通する排気筒と、該排気筒に設けられ前記二次熱交換器を通過した後の燃焼排気の温度を検出する排気温度検出手段と、被加熱流体を前記二次流路から前記一次流路へ流通させて加熱する負荷運転を実行させる制御部とを備えた熱源装置において、前記被加熱流体を前記二次流路をバイパスさせて前記一次流路に導くバイパス流路と、前記被加熱流体を前記二次流路側に送る流路を形成する通常状態か前記バイパス流路側に送る流路を形成するバイパス状態かに切り換える流路切換手段とを設け、前記制御部は、前記負荷運転時に、前記排気温度検出手段の検出する燃焼排気の温度が前記第１の所定温度以上であると判断した場合は、前記流路切換手段を前記通常状態とし、前記排気温度検出手段の検出する燃焼排気の温度が前記第１の所定温度より低いと判断した場合は、前記流路切換手段を前記バイパス状態とするものとした。
【０００６】
また、請求項２では、請求項１に記載の熱源装置において、外気温度を検出する外気温度検出手段を設け、前記制御部は、前記負荷運転時に、前記排気温度検出手段の検出する燃焼排気の温度が前記第１の所定温度より低いと判断した場合は、前記外気温度検出手段の検出する外気温度が第２の所定温度以上か否か判断し、前記外気温度検出手段の検出する外気温度が第２の所定温度以上と判断した場合は、前記流路切換手段を前記通常状態とし、前記外気温度検出手段の検出する外気温度が第２の所定温度より低いと判断した場合は、前記流路切換手段を前記バイパス状態とするものとした。
【発明の効果】
【０００７】
この発明の請求項１によれば、制御部は、負荷運転時に、排気温度検出手段の検出する燃焼排気の温度が第１の所定温度以上であると判断した場合は、流路切換手段を通常状態とし、排気温度検出手段の検出する燃焼排気の温度が第１の所定温度より低いと判断した場合は、流路切換手段を前記バイパス状態とするようにしたことで、燃焼排気の温度が高いときは、二次熱交換器の二次流路を流通させて、二次熱交換器で燃焼排気中の顕熱または潜熱を回収して効率を向上させることができ、燃焼排気の温度が低いときには、被加熱流体は二次熱交換器の二次流路を通過せず、バイパス流路を通って直接的に一次熱交換器の一次流路側に送られるので、一次熱交換器通過後の燃焼排気は、二次熱交換器において被加熱流体に顕熱または潜熱を回収されることがなく、温度を高く保ったまま排気筒に流入して排気筒内を通過するため、排気筒の先端に近い部分で結露（ドレン）が氷結してしまうことを防止することができ、燃焼不良の発生を防ぐことができるものである。
【０００８】
また、請求項２によれば、制御部は、負荷運転時に、排気温度検出手段の検出する燃焼排気の温度が第１の所定温度より低いと判断した場合は、外気温度検出手段の検出する外気温度が第２の所定温度以上か否か判断し、外気温度検出手段の検出する外気温度が第２の所定温度以上と判断した場合は、流路切換手段を前記通常状態とし、外気温度検出手段の検出する外気温度が第２の所定温度より低いと判断した場合は、流路切換手段を前記バイパス状態とするようにしたことで、燃焼排気の温度は低いが外気温度が高いときは、排気筒の先端に近い部分で結露が氷結してしまう心配がないため、被加熱流体を二次熱交換器の二次流路を流通させて、二次熱交換器で燃焼排気中の顕熱または潜熱を回収して効率を向上させることができ、燃焼排気の温度が低く、かつ外気温度が低いときは、排気筒の先端に近い部分で結露が氷結するおそれがあるが、被加熱流体は二次熱交換器の二次流路を通過せず、バイパス流路を通って直接的に一次熱交換器の一次流路側に送られるので、一次熱交換器通過後の燃焼排気は、二次熱交換器において被加熱流体に顕熱または潜熱を回収されることがなく、温度を高く保ったまま排気筒に流入して排気筒内を通過するため、排気筒の先端に近い部分で結露が氷結してしまうことを防止することができ、燃焼不良の発生を防ぐことができ、燃焼排気の温度と外気温度とに応じた適切な処置を行うことができるものである。
【図面の簡単な説明】
【０００９】
【図１】この発明の第１の実施形態熱源装置を示す概略構成図。
【図２】同第１の実施形態の熱源装置の暖房運転時における三方弁の動作を示すフローチャート。
【図３】同第１の実施形態の熱源装置において燃焼排気の温度が所定温度以上の場合の循環液の流れを示す説明図。
【図４】同第１の実施形態の熱源装置において燃焼排気の温度が所定温度より低い場合の循環液の流れを示す説明図。
【図５】この発明の第２の実施形態の熱源装置の暖房運転時における三方弁の動作を示すフローチャート。
【図６】この発明の第１、第２の実施形態における他の熱源装置を示す概略構成図。
【図７】この発明の第１、第２の実施形態におけるさらに他の熱源装置を示す概略構成図。
【発明を実施するための形態】
【００１０】
次に、この発明の第１の実施形態の熱源装置を図面に基づき説明する。
１は本実施形態の熱源装置、２は水や不凍液等の被加熱流体としての循環液を加熱する潜熱回収型の熱源機である。
【００１１】
前記熱源機２は、送風ファン３からの燃焼用空気の供給を受けて燃料を燃焼させるバーナ４と、バーナ４の燃焼により発生した燃焼排気から顕熱を回収し一次流路５を流通する前記循環液を加熱する熱交換器としての一次熱交換器６と、一次熱交換器６を通過した後の燃焼排気から顕熱または潜熱を回収し二次流路７を流通する循環液を加熱する熱交換器としての二次熱交換器８と、二次熱交換器８を通過した後の燃焼排気が流通し外部と連通する排気筒９を有しているものである。なお、１０は送風ファン３からの燃焼用空気をバーナ４に導く送風路１１に設けられ、燃焼用空気として外部から取り込んだ空気の温度、すなわち外気温度を検出する外気温度検出手段としての空気温度センサ、１２は排気筒９に設けられ二次熱交換器８を通過した後の燃焼排気の温度を検出する排気温度検出手段としての排気温度センサである。
【００１２】
前記一次熱交換器６は、内部に一定量の循環液を貯湯する円筒状の貯湯缶体１３と、貯湯缶体１３下部内側に形成されバーナ４の燃焼が行われる燃焼室１４と、貯湯缶体１３上部に形成された排気室１５と、燃焼室１４と排気室１５とを連通しバーナ４の燃焼により発生した燃焼排気を通過させる複数本の煙管１６とで構成されており、前記一次流路５は貯湯缶体１３内の循環液が貯湯されている部分に該当するものである。なお、１７は貯湯缶体１３内の循環液の温度を検出する温度検出手段としての貯湯温度センサである。
【００１３】
１８は燃焼排気中の水蒸気が二次熱交換器８の二次流路７を流通する循環液と熱交換して露点以下の温度となることにより生成される強酸性のドレンを中和器１９に導くドレン導入管であり、中和器１９に導入されたドレンは、中和器１９内に収容された炭酸カルシウム等からなる中和剤により中和され、中和されたドレンはドレン排出管２０から外部へ排出されるものである。
【００１４】
２１は内部を流れる循環液の保有熱を放熱し被空調空間を暖房する床暖房パネルやパネルコンベクタ等の端末としての放熱端末、２２は放熱端末２１の出水側と二次流路７の入水側とを接続し、放熱端末２１から流出した循環液を二次流路７に導く暖房戻り流路、２３は一次流路５の出水側と放熱端末２１の入水側とを接続し、放熱端末２１に一次熱交換器６および二次熱交換器８で加熱された循環液を導く暖房往き流路、２４は二次流路７の出水側と一次流路５の入水側を接続する連結流路である。
【００１５】
２５は暖房戻り流路２２から分岐され、二次熱交換器８の二次流路７をバイパスし一次流路５側に循環液を導くバイパス流路、２６は放熱端末２１から流出し暖房戻り流路２２を流通する循環液を、二次熱交換器８の二次流路７側に戻す流路を形成する通常状態かバイパス流路２５側に戻す流路を形成するバイパス状態かに切り換える流路切換手段としての三方弁である。なお、放熱端末２１と暖房戻り流路２２と暖房往き流路２３と連結流路２４とバイパス流路２５と一次流路５と二次流路７とで循環液が循環する循環回路２７が形成されているものである。
【００１６】
２８は暖房往き流路２３に設けられ一次熱交換器６および二次熱交換器８で加熱された循環液を放熱端末２１に循環させる循環ポンプ、２９は暖房往き流路２３に設けられ循環液中の空気と循環液を分離する気水分離器、３０は循環回路２７を循環する循環液が高温となって体積膨張したときにその体積膨張分を吸収すると共に、逆に循環液が低温となって体積収縮したときのその体積収縮分を補充する膨張タンクである。
【００１７】
３１は熱源装置１の操作指示を行うリモコンで、リモコン３１には、熱源機２で循環液を加熱すると共に循環ポンプ２８を駆動させて、放熱端末２１から戻される循環液を二次流路７から一次流路５へ流通させて再び放熱端末２１に循環させて室内等の被空調空間の暖房を行わせる負荷運転としての暖房運転の開始または停止を指示する運転スイッチ３２と、熱源機２で加熱し循環回路２７を循環させる循環液の温度を設定する設定手段としての温度設定スイッチ３３と、温度設定スイッチ３３で設定した温度等を表示する表示部３４とを備えているものである。
【００１８】
３５はマイクロコンピュータを主体としてこの熱源装置１の制御を行う制御部で、制御部３５はリモコン３１の信号、空気温度センサ１０からの信号、排気温度センサ１２からの信号、温度センサ１４からの信号をうけ、送風ファン３、バーナ４、三方弁２６、循環ポンプ２８の動作を制御するものである。
【００１９】
前記制御部３５は、送風ファン３およびバーナ４へ燃料を供給する燃料ポンプ（図示せず）をそれぞれ能力制御して燃焼量を可変できるものであり、暖房運転の際は、貯湯温度センサ１７の検出する貯湯缶体１３内の循環液の温度がリモコン３１の温度設定スイッチ３３で設定された設定温度付近の温度になるよう制御するものであり、暖房運転開始時は、循環液の温度が設定温度に素早く上昇するように、バーナ４の燃焼量を予め設定された上限燃焼量にし、その後、循環液の温度が設定温度に近づいていくにつれてバーナ４の燃焼量を徐々に下げていき、循環液の温度を設定温度に維持するのが可能であれば予め設定された下限燃焼量まで燃焼量を下げて燃焼を行い、循環液の温度が設定温度より所定温度高い燃焼オフ温度に達したら、バーナ４の燃焼を停止し、循環液の温度が設定温度または設定温度より所定温度低い燃焼オン温度に達したら、バーナ４の燃焼を開始させ、貯湯缶体１３内の循環液の温度を設定温度に近づけるべく燃焼量を適宜制御するものである。
【００２０】
また、制御部３５は、暖房運転中に、三方弁２６を制御して循環液の流れる流路の切り換えを行うものであり、バーナ４の燃焼が実行されているときであって、排気温度センサ１２の検出する燃焼排気の温度が予め設定された第１の所定温度以上、例えば、１３０℃以上の場合は、三方弁２６を、放熱端末２１から流出され暖房戻り流路２２を流通する循環液を二次熱交換器８の二次流路７側へ送る流路を形成する通常状態とし、バーナ４の燃焼が実行されているときであって、排気温度センサ１２の検出する燃焼排気の温度が前記第１の所定温度、例えば、１３０℃より低い場合は、三方弁２６を、放熱端末２１から流出され暖房戻り流路２２を流通する循環液をバイパス流路２５側へ送る流路を形成するバイパス状態とするものである。
【００２１】
次に、この第１の実施形態の熱源装置１の動作について説明する。
前記リモコン３１の運転スイッチ３２が操作され、暖房運転開始の指示がなされると、制御部３５は、送風ファン３および燃料ポンプ（図示せず）を駆動させバーナ４での燃焼を開始させ、一次熱交換器６および二次熱交換器８で循環液を加熱すると共に、循環ポンプ２８を駆動させ、放熱端末２１に加熱された循環液の供給を行うものである。なお、暖房運転開始時は三方弁２６は通常状態であり、暖房運転開始時から一定時間は通常状態を継続するものである。
【００２２】
前記制御部３５は、暖房運転中、貯湯温度センサ１７の検出する貯湯缶体１３内の循環液の温度がリモコン３１の温度設定スイッチ３３で設定された設定温度付近の温度になるように、バーナ４の燃焼の実行または停止、燃焼量の調整により制御するものであり、暖房運転開始時は、循環液の温度が設定温度に素早く上昇するように、バーナ４の燃焼量を予め設定された上限燃焼量にし、その後、循環液の温度が設定温度に近づいていくにつれてバーナ４の燃焼量を徐々に下げていき、循環液の温度を設定温度に維持するのが可能であれば予め設定された下限燃焼量まで燃焼量を下げて燃焼を行い、循環液の温度が設定温度より所定温度高い燃焼オフ温度に達したら、バーナ４の燃焼を停止し、循環液の温度が設定温度または設定温度より所定温度低い燃焼オン温度に達したら、バーナ４の燃焼を開始させ、貯湯缶体１３内の循環液の温度を設定温度に近づけるべく燃焼量を適宜制御するものである。なお、暖房運転中は、バーナ４の燃焼が実行されているかバーナ４の燃焼が停止しているかに関わらず、循環ポンプ２８の駆動は行われており放熱端末２１に循環液が継続的に循環されるものである。
【００２３】
前記暖房運転中にバーナ４の燃焼により発生した燃焼排気は、一次熱交換器６の煙管１６を流通し、一次熱交換器６の煙管１６を通過した後、排気室１５を介して二次熱交換器８を流通し、二次熱交換器８を通過した後、排気筒９を流通し、外部へ排出されるものである。なお、燃焼排気が二次熱交換器８を通過する際には、燃焼排気中の水蒸気が露点以下の温度となることで強酸性のドレンが発生し、発生したドレンは中和器１９に導かれ、中和器１９で中和剤により中和されるものである。
【００２４】
ここで、暖房運転中であってバーナ４の燃焼が実行されているときの三方弁２６の動作について図２のフローチャートを用いて説明すると、暖房運転が開始されると、制御部３５は、排気温度センサ１２の検出する燃焼排気の温度が予め設定された第１の所定温度以上、ここでは１３０℃以上か否か判断し（ステップＳ１）、排気温度センサ１２の検出する燃焼排気の温度が第１の所定温度以上であると判断した場合は、三方弁２６を、放熱端末２１を流出し暖房戻り流路２２を流通する循環液を二次流路７側へ送る流路を形成する通常状態とし（ステップＳ２）、循環回路２７を循環する循環液は、図３の太線で示したように、放熱端末２１を流出した後、暖房戻り流路２２から二次流路７を流通してそこから連結流路２４を介して一次流路５を流通することで、二次流路７および一次流路５で燃焼排気との熱交換により加熱され、そして、一次流路５を流出した循環液は暖房往き管２０を流通して放熱端末２１に供給されるものである。
【００２５】
一方、前記ステップＳ１の処理で、排気温度センサ１２の検出する燃焼排気の温度が第１の所定温度より低いと制御部３５が判断した場合、三方弁２６を、放熱端末２１を流出し暖房戻り流路２２を流通する循環液をバイパス流路２５側へ送る流路を形成するバイパス状態とし（ステップＳ３）、循環回路２７を循環する循環液は、図４の太線で示したように、放熱端末２１を流出した後、暖房戻り流路２２からバイパス流路２５を流通してそこから連結流路２４を介して一次流路５側に戻され、そして、一次流路５で燃焼排気との熱交換により加熱された循環液は暖房往き管２０を流通して放熱端末２１に供給されるものである。
【００２６】
以上、説明した暖房運転において、制御部３５は、暖房運転中であってバーナ４の燃焼が実行されているときに、排気温度センサ１２の検出する燃焼排気の温度が第１の所定温度以上であると判断した場合は、三方弁２６を、放熱端末２１から戻され暖房戻り流路２２を流通する循環液を二次熱交換器８の二次流路７側へ送る流路を形成する通常状態とし、循環液が二次熱交換器８の二次流路７に流れるようにし、排気温度センサ１２の検出する燃焼排気の温度が第１の所定温度より低いと判断した場合は、三方弁２６を、放熱端末２１から戻され暖房戻り流路２２を流通する循環液をバイパス流路２５側へ送る流路を形成するバイパス状態とし、循環液が二次熱交換器８の二次流路７に流れないようにバイパスすることで、燃焼排気の温度が高いときは、二次熱交換器８の二次流路７を流通させて、二次熱交換器８で燃焼排気中の顕熱または潜熱を回収して効率を向上させることができ、燃焼排気の温度が低いときには、循環液は二次熱交換器８の二次流路７を通過せず、バイパス流路２５を通って直接的に一次熱交換器６の一次流路５側に送られるので、一次熱交換器６通過後の燃焼排気は、二次熱交換器８において循環液に顕熱または潜熱を回収されることがなく、温度を高く保ったまま排気筒９に流入して排気筒９内を通過するため、排気筒９の先端に近い部分で結露（ドレン）が氷結してしまうことを防止することができ、燃焼不良の発生を防ぐことができるものである。また、排気筒９の代わりに給排気筒が接続されていたとしても、先に説明した内容と同様に給排気筒の先端に近い部分で結露（ドレン）が氷結してしまうことを防止することができるので、燃焼排気が室内に漏れ出すおそれがないものである。
【００２７】
次に、本発明の第２の実施形態について説明するが、この実施形態では先に説明した第１の実施形態と構成は同一なので説明を省略し、相違する制御動作のみを説明する。
前記暖房運転中であってバーナ４の燃焼が実行されているときの三方弁２６の動作について図５のフローチャートを用いて説明すると、暖房運転が開始されると、制御部３５は、排気温度センサ１２の検出する燃焼排気の温度が予め設定された第１の所定温度以上、ここでは１３０℃以上か否か判断し（ステップＳ４）、排気温度センサ１２の検出する燃焼排気の温度が第１の所定温度以上であると判断した場合は、三方弁２６を、放熱端末２１を流出し暖房戻り流路２２を流通する循環液を二次流路７側へ送る流路を形成する通常状態とし（ステップＳ５）、循環回路２７を循環する循環液は、先に説明した図３の太線で示したように、放熱端末２１を流出した後、暖房戻り流路２２から二次流路７を流通してそこから連結流路２４を介して一次流路５を流通することで、二次流路７および一次流路５で燃焼排気との熱交換により加熱され、そして、一次流路５を流出した循環液は暖房往き管２０を流通して放熱端末２１に供給されるものである。
【００２８】
一方、前記ステップＳ４の処理で、排気温度センサ１２の検出する燃焼排気の温度が第１の所定温度より低いと制御部３５が判断した場合、空気温度センサ１０で検出する外気温度が予め設定された第２の所定温度以上、ここでは３℃以上か否か判断し（ステップＳ６）、空気温度センサ１０で検出する外気温度が第２の所定温度以上であると制御部３５が判断すると、三方弁２６を通常状態とし（ステップＳ５）、前記ステップＳ６の処理で、空気温度センサ１０で検出する外気温度が第２の所定温度より低いと制御部３５が判断すると、三方弁２６を、放熱端末２１を流出し暖房戻り流路２２を流通する循環液をバイパス流路２５側へ送る流路を形成するバイパス状態とし（ステップＳ７）、循環回路２７を循環する循環液は、先に説明した図４の太線で示したように、放熱端末２１を流出した後、暖房戻り流路２２からバイパス流路２５を流通してそこから連結流路２４を介して一次流路５側に戻され、そして、一次流路５で燃焼排気との熱交換により加熱された循環液は暖房往き管２０を流通して放熱端末２１に供給されるものである。
【００２９】
以上、説明した暖房運転において、制御部３５は、暖房運転中であってバーナ４の燃焼が実行されているときに、排気温度センサ１２の検出する燃焼排気の温度が第１の所定温度以上であると判断した場合は、三方弁２６を、放熱端末２１から戻され暖房戻り流路２２を流通する循環液を二次熱交換器８の二次流路７側へ送る流路を形成する通常状態とし、循環液が二次熱交換器８の二次流路７に流れるようにしたことで、燃焼排気の温度が高いときは、二次熱交換器８の二次流路７を流通させて、二次熱交換器８で燃焼排気中の顕熱または潜熱を回収して効率を向上させることができ、また、制御部３５は、暖房運転中であってバーナ４の燃焼が実行されているときに、排気温度センサ１２の検出する燃焼排気の温度が第１の所定温度より低いと判断した場合は、空気温度センサ１０の検出する外気温度が第２の所定温度以上であるか否か判断し、空気温度センサ１０で検出する外気温度が第２の所定温度以上であると判断すると、三方弁２６を、放熱端末２１から戻され暖房戻り流路２２を流通する循環液を二次熱交換器８の二次流路７側へ送る流路を形成する通常状態とし、循環液が二次熱交換器８の二次流路７に流れるようにし、空気温度センサ１０で検出する外気温度が第２の所定温度より低いと制御部３５が判断すると、三方弁２６を、放熱端末２１を流出し暖房戻り流路２２を流通する循環液をバイパス流路２５側へ送る流路を形成するバイパス状態とし、循環液が二次熱交換器８の二次流路７に流れないようにバイパスすることで、燃焼排気の温度は低いが外気温度が高いときは、排気筒９の先端に近い部分で結露が氷結してしまう心配がないため、循環液を二次熱交換器８の二次流路７を流通させて、二次熱交換器８で燃焼排気中の顕熱または潜熱を回収して効率を向上させることができ、燃焼排気の温度が低く、かつ外気温度が低いときは、排気筒９の先端に近い部分で結露が氷結するおそれがあるが、循環液は二次熱交換器８の二次流路７を通過せず、バイパス流路２５を通って直接的に一次熱交換器６の一次流路５側に送られるので、一次熱交換器６通過後の燃焼排気は、二次熱交換器８において循環液に顕熱または潜熱を回収されることがなく、温度を高く保ったまま排気筒９に流入して排気筒９内を通過するため、排気筒９の先端に近い部分で結露が氷結してしまうことを防止することができ、燃焼不良の発生を防ぐことができ、燃焼排気の温度と外気温度とに応じた適切な処置を行うことができるものである。また、排気筒９の代わりに給排気筒が接続されていたとしても、先に説明した内容と同様に給排気筒の先端に近い部分で結露（ドレン）が氷結してしまうことを防止することができるので、燃焼排気が室内に漏れ出すおそれがないものである。
【００３０】
なお、本発明は先に説明した第１、第２の実施形態に限定されるものでなく、第１、第２の実施形態では、一次熱交換器６を貯湯缶体１３を有する貯湯式の熱交換器としたが、一次熱交換器６は図６に示すようなフィンチューブ式の熱交換器としてもよいものであり、一次熱交換器６をフィンチューブ式の熱交換器とした場合は、一次流路５から流出する循環液の温度を検出できる位置、例えば一次流路５の出水側に近い位置の暖房往き流路２３に温度検出手段としての貯湯温度センサ１７を設けて、貯湯温度センサ１７の検出する循環液の温度が設定温度付近の温度になるようバーナ４の燃焼を制御すればよいものである。
【００３１】
また、本発明は先に説明した第１、第２の実施形態に限定されるものでなく、第１、第２の実施形態では、燃焼用空気として外部から取り込んだ空気の温度を検出し送風路１１に取り付けられた空気温度センサ１０を外気温度を検出する外気温度検出手段としたが、外気温度検出手段としては、外気温度に相当する温度を検出できるものであれば、送風路１１に取り付けられていなくともよいものである。
【００３２】
また、本発明は先に説明した第１、第２の実施形態に限定されるものでなく、第１、第２の実施形態では、貯湯温度センサ１７の検出する貯湯缶体１３内の循環液の温度がリモコン３１の温度設定スイッチ３３で設定された設定温度付近の温度になるようバーナ４の燃焼を制御するものであったが、貯湯温度センサ１７を放熱端末２１から流出する循環液の温度を検出するものとし、貯湯温度センサ１７の検出する循環液の温度がリモコン３１の温度設定スイッチ３３で設定された設定温度付近の温度になるようバーナ４の燃焼を制御するものとしてもよいものである。
【００３３】
また、本発明は先に説明した第１、第２の実施形態に限定されるものでなく、第１、第２の実施形態では、本実施形態では、バイパス流路２５を連結流路２４に接続したものとしたが、バイパス流路２５は連結流路２４に接続せずに直接的に一次流路５に接続したものであってもよいものである。
【００３４】
また、本発明は先に説明した第１、第２の実施形態に限定されるものでなく、第１、第２の実施形態では、流路切換手段として三方弁２６を適用したが、三方弁２６の代わりに、暖房戻り流路２２とバイパス流路２５との分岐点より二次流路７寄りの暖房戻り流路２２に開閉弁を設けると共にバイパス流路２５に開閉弁を設け、これらの開閉弁を流路切換手段としてもよく、第１の実施形態において上記開閉弁を流路切換手段として適用した場合、暖房運転中であってバーナ４の燃焼が実行されているときに、排気温度センサ１２の検出する燃焼排気の温度が第１の所定温度以上であると判断した場合は、暖房戻り流路２２の開閉弁を開弁しバイパス流路２５の開閉弁を閉弁して、放熱端末２１から流出され暖房戻り流路２２を流通する循環液を二次熱交換器８の二次流路７側へ送る流路を形成する通常状態とし、排気温度センサ１２の検出する燃焼排気の温度が第１の所定温度より低いと判断した場合は、暖房戻り流路２２の開閉弁を閉弁しバイパス流路２５の開閉弁を開弁して、放熱端末２１から戻され暖房戻り流路２２を流通する循環液をバイパス流路２５側へ送る流路を形成するバイパス状態とすれば、三方弁２６と同様の動作を実行できるものであり、第２の実施形態において上記開閉弁を流路切換手段として適用した場合、暖房運転中であってバーナ４の燃焼が実行されているときに、排気温度センサ１２の検出する燃焼排気の温度が第１の所定温度以上であると判断した場合、または、排気温度センサ１２の検出する燃焼排気の温度が第１の所定温度より低くかつ空気温度センサ１０で検出する外気温度が第２の所定温度以上であると判断した場合は、暖房戻り流路２２の開閉弁を開弁しバイパス流路２５の開閉弁を閉弁して、放熱端末２１から流出され暖房戻り流路２２を流通する循環液を二次熱交換器８の二次流路７側へ送る流路を形成する通常状態とし、排気温度センサ１２の検出する燃焼排気の温度が第１の所定温度より低くかつ空気温度センサ１０で検出する外気温度が第２の所定温度より低いと判断した場合は、暖房戻り流路２２の開閉弁を閉弁しバイパス流路２５の開閉弁を開弁して、放熱端末２１から戻され暖房戻り流路２２を流通する循環液をバイパス流路２５側へ送る流路を形成するバイパス状態とすれば、三方弁２６と同様の動作を実行できるものである。
【００３５】
また、本発明は先に説明した第１、第２の実施形態に限定されるものでなく、第１、第２の実施形態では、端末として床暖房パネルやパネルコンベクタ等の放熱端末２１を有し、負荷運転として暖房運転を行える熱源装置１に本発明を適用したが、図７に示すように、端末として給湯栓３６を有すると共に、一次流路５の出水側と給湯栓３６とを接続する給湯管３７と、二次流路７の入水側に接続された給水管３８と、給水管３８から分岐され、二次熱交換器８の二次流路７をバイパスし一次流路５側に給水を導くバイパス流路２５と、給水管３８からの給水を二次熱交換器８の二次流路７側に送る流路を形成する通常状態かバイパス流路２５側に送る流路を形成するバイパス状態かに切り換える三方弁２６とを備え、給湯栓３６を開栓するとバーナ４の燃焼が開始され、給水管３８から供給される被加熱流体としての給水が熱交換器で加熱されて給湯管３７を通じて給湯栓３６から出湯される負荷運転として給湯運転を行える給湯機としての熱源装置に本発明を適用してもよく、その場合は、給湯運転中に、排気温度センサ１２の検出する燃焼排気の温度が第１の所定温度以上であると判断した場合は、三方弁２６を、給水管３８からの給水を二次熱交換器８の二次流路７側に送る流路を形成する通常状態とし、給水が二次熱交換器８の二次流路７に流れるようにし、排気温度センサ１２の検出する燃焼排気の温度が第１の所定温度より低いと判断した場合は、三方弁２６を、給水管３８からの給水をバイパス流路２５側に送る流路を形成するバイパス状態とし、給水が二次熱交換器８の二次流路７に流れないようにバイパスすることで、先に説明した第１の実施形態の暖房運転時と同様の効果が得られるものである。また、給湯運転中に、排気温度センサ１２の検出する燃焼排気の温度が第１の所定温度以上であると判断した場合、または、排気温度センサ１２の検出する燃焼排気の温度が第１の所定温度より低くかつ空気温度センサ１０で検出する外気温度が第２の所定温度以上であると判断した場合は、三方弁２６を、給水管３８からの給水を二次熱交換器８の二次流路７側に送る流路を形成する通常状態とし、給水が二次熱交換器８の二次流路７に流れるようにし、排気温度センサ１２の検出する燃焼排気の温度が第１の所定温度より低くかつ空気温度センサ１０で検出する外気温度が第２の所定温度より低いと判断した場合は、三方弁２６を、給水管３８からの給水をバイパス流路２５側に送る流路を形成するバイパス状態とし、給水が二次熱交換器８の二次流路７に流れないようにバイパスすることで、先に説明した第２の実施形態の暖房運転時と同様の効果が得られるものである。
【符号の説明】
【００３６】
４  バーナ
５  一次流路
６  一次熱交換器
７  二次流路
８  二次熱交換器
９  排気筒
１０  空気温度センサ
１２  排気温度センサ
２５  バイパス流路
２６  三方弁
３５  制御部
【図１】
0006374817.tif 000002
【図２】
0006374817.tif 000003
【図３】
0006374817.tif 000004
【図４】
0006374817.tif 000005
【図５】
0006374817.tif 000006
【図６】
0006374817.tif 000007
【図７】
0006374817.tif 000008